(57)【要約】  【課題】  筐体内に流れ込む静電気が筐体内のＬＥＤや光センサー、あるいは静電気の侵入をきらう他の電気部品・電子部品への流れ込みを確実に防止できるようにして、静電気による実装部品のダメージを回避し得る電子機器を提供する。  【解決手段】  ＬＥＤカバー１４を有底筒状に形成し、ＬＥＤカバー１４の封止端側を筐体１０の開口部１２側に向けて配置する。ＬＥＤカバー１４の開口端側を保持する絶縁性の弾性ホルダー１５を設ける。ＬＥＤカバー１４の開口端を、弾性ホルダー１５を介して回路基板１０の前面に非接触状態にして配置する。回路基板１０のグランド用の導体配線２２を少なくともＬＥＤカバー１４の開口端の直下位置まで延ばし、ＬＥＤカバー１４からグランド用の導体配線２２までの最短距離をＬＥＤカバー１４からＬＥＤ１３までの最短距離よりも短く設定する。  【選択図】        図９
2006114790.tif 000002
【特許請求の範囲】
【請求項１】
開口部を有する筐体と、
該筐体内に設けられたグランド用の導体配線を有する回路基板と、
前記開口部と対峙する前記回路基板上に実装された電子部品と、
前記開口部を塞ぐ閉塞部材を備える電子機器において、
前記閉塞部材は有底筒状体をなし、その開口を前記電子部品側に向けると共に、前記有底筒状体の開口側を前記回路基板と隙間を設けて配置してなり、前記有底筒状体の外周開口側周縁から前記導体配線までの最短距離を、前記有底筒状体の外周開口側周縁から前記電子部品までの最短距離よりも短くなるようにしたことを特徴とする電子機器。
【請求項２】
前記閉塞部材は透光性を有すると共に、前記電子部品は発光ダイオードであることを特徴とする請求項１に記載の電子機器。
【請求項３】
前記閉塞部材は透光性を有すると共に、前記電子部品は光センサであることを特徴とする請求項１に記載の電子機器。
【請求項４】
前記閉塞部材を前記回路基板上に隙間を設けて配置する弾性ホルダーを有することを特徴とする請求項１〜３のいずれか１項に記載の電子機器。
【請求項５】
前記閉塞部材を前記回路基板上に隙間を設けて配置する弾性ホルダーを有すると共に、該弾性ホルダーは光を吸収する色を呈していることを特徴とする請求項２に記載の電子機器。
【発明の詳細な説明】
【技術分野】
【０００１】
この発明は、携帯電話機や、ＰＤＡ（Personal Digital Assistants）、デジタルカメラ、デジタルビデオカメラ、パーソナルコンピュータ等の電子機器に関する。
【背景技術】
【０００２】
近年、携帯電話機や、ＰＤＡ、デジタルカメラ、デジタルビデオカメラ、パーソナルコンピュータ等の電子機器には、着信や警告等を光によりユーザーに知らせる報知手段としてＬＥＤ（発光ダイオード）が用いられている（例えば、特許文献１参照）。
【特許文献１】特開２０００−９８９２７号公報
【発明の開示】
【発明が解決しようとする課題】
【０００３】
ところで、この種の電子機器のユーザーが帯電した状態で筐体に触れると、筐体とＬＥＤカバーとの隙間からその静電気が筐体内に流れ込むことがある。そして、筐体内に流れ込んだ静電気は最も近くにある導体に流れ易く、例えば、流れ込んだ先が回路基板上のグランド用の導体パターン（導体配線）である場合には問題は生じないが、静電気がＬＥＤに流れ込んだ場合には、ＬＥＤや、このＬＥＤと電気的に接続された他の電気部品や電子部品に高電圧の電流が流れ、ＬＥＤや他の電気部品や電子部品が破損するといった課題があった。
【０００４】
そこで、この発明は、筐体内に流れ込む静電気が筐体内のＬＥＤや光センサー、あるいは静電気の侵入を嫌う他の電気／電子部品への流れ込みを確実に防止できるようにして、静電気による実装部品のダメージを回避し得る電子機器を提供しようとするものである。
【課題を解決するための手段】
【０００５】
上記課題を解決するために、この発明は、開口部を有する筐体と、該筐体内に設けられたグランド用の導体配線を有する回路基板と、前記開口部と対峙する前記回路基板上に実装された電子部品と、前記開口部を塞ぐ閉塞部材を備える電子機器において、前記閉塞部材は有底筒状体をなし、その開口を前記電子部品側に向けると共に、前記有底筒状体の開口側を前記回路基板と隙間を設けて配置してなり、前記有底筒状体の外周開口側周縁から前記導体配線までの最短距離を、前記有底筒状体の外周開口側周縁から前記電子部品までの最短距離よりも短くなるようにした。
【０００６】
前記閉塞部材は透光性を有し、前記電子部品は発光ダイオードであっても良い。
また、前記閉塞部材は透光性を有し、前記電子部品は光センサであっても良い。
【０００７】
また、前記閉塞部材を前記回路基板上に隙間を設けて配置する弾性ホルダーを設けるようにしても良い。
【０００８】
前記閉塞部材を前記回路基板上に隙間を設けて配置する弾性ホルダーを設け、該弾性ホルダーは、光を吸収する色を呈するようにしても良い。
【発明の効果】
【０００９】
この発明は、筐体の開口部を塞ぐ閉塞部材を有底筒状体とし、該有底筒状体の外周開口側周縁から筐体内の回路基板上に形成されたグランド用の導体配線までの最短距離を、前記有底筒状体の外周開口側周縁から前記開口部に対峙する回路基板上に実装された電子部品までの最短距離よりも短くしたことから、筐体と閉塞部材の間より流れ込んだ静電気をグランド用の導体配線に逃がし、静電気が前記電子部品に流れ込むことを確実に防止することができる。そのため、前記電子部品や回路基板上に実装される他の電子部品が破損することを防止できる。
【発明を実施するための最良の形態】
【００１０】
以下、この発明の一実施形態を、図面を参照して説明する。この発明にかかる電子機器は、携帯電話機や簡易型携帯電話機、ＰＤＡ等の携帯可能な種々の電子機器を含むものであるが、以下の実施形態はこの発明を携帯電話機に適用したものである。
【００１１】
この実施形態の携帯電話機は、図１〜図５に示すように筐体１が縦長の略矩形状に形成されたストレートタイブと呼ばれる筐体構造を有する電話機であり、筐体１は、厚み方向でほぼ半割りとされたフロントケース２とリヤケース３が相互に結合された構造となっている。
【００１２】
フロントケース２の前面には、その中央に数字の入力を行う数字キー４ａ、オフフックボタンとしての通話キー４ｂ、オンフックボタンとしての終話キー４ｃから成る操作キー群が配置されると共に、上端部と下端部に受話部５と送話部６が配置され、さらに下端部の送話部６の近傍には電波状況とバッテリーの残状況を知らせるためのＬＥＤによる発光インジケータ部７及び電源のオン、オフのためのスライドスイッチ１８が配置されている。一方、リヤケース３の背面には、その略下半領域にバッテリー交換用の蓋８が開閉可能に設けられると共に、上端部の左側（フロントケース２の前面から向かって見た場合。）に偏奇した位置にアンテナ収容部９が外側に円弧状に膨出して形成されており、そのアンテナ収容部９にアンテナ１５が収容されている。
【００１３】
筐体１の内部には、図４，図５に示すようにフロントケース２とリヤケース３に挟み込まれるかたちで、複数の電気／電子部品を実装する回路基板１０が取り付けられると共に、この回路基板１０の下面側（リヤケース３側）の中央付近に略矩形状のバッテリー１１が収納されている。また、筐体１内には、この回路基板１０とバッテリー１１の他、受話用スピーカと送話用マイクロフォン（いずれも図示せず）が収納されている。なお、受話用スピーカーは報知用スピーカとしても機能するようになっている。
【００１４】
ここで、前記発光インジケータ部７は、フロントケース２の下端前面に形成された略楕円状の２つの開口部１２に夫々嵌入されたＬＥＤカバー１４（閉塞部材）と、回路基板１０上の各ＬＥＤカバー１４に対峙する位置に実装された２つのＬＥＤ１３（電子部品）とを備えている。
【００１５】
ＬＥＤカバー１４は、図６〜図９に示すように有底筒状に形成され、その封止端側が照射窓になっている。ＬＥＤカバー１４は、より具体的には、封止端側が開口部１２とほぼ合致する略楕円状の断面形状とされると共に、開口端側が封止端側よりも一回り大きい略Ｄ字状の断面形状に形成されている。以下、封止端側の略楕円状の断面部を先端部１４ａと呼び、開口端側の略Ｄ字状の断面部分を台座部１４ｂと呼ぶものとする。
【００１６】
また、ＬＥＤカバー１４は透光性を有するプラスチック、樹脂、セラミックス、単結晶体のいずれかの絶縁性材料により形成してある。
【００１７】
ＬＥＤカバー１４は、図７，図８に示すように２つ一組とされ、これらの各台座部１４ｂが、黒色のゴム材から成る絶縁性の弾性ホルダー１５に保持されている。この弾性ホルダー１５は、全体がほぼ矩形の板状に形成され、その板状のベース部に、各ＬＥＤカバー１４の先端部が挿入される貫通孔１６を有すると共に、各貫通孔１６の孔縁にＬＥＤカバー１４の台座部１４ｂが嵌合される略Ｄ字状の窪み部１７が形成されている。また、この窪み部１７の周壁には、図１０に示すように凹部１７ａが形成され、この凹部１７ａに台座部１４ｂ周縁のフランジ部１８が嵌合されるようになっている。
【００１８】
ここで、窪み部１７の高さは台座部１４ｂの高さよりも高く設定されており、窪み部１７に台座部１４ｂを嵌合した状態において、図９，図１０に示すように台座部１４ｂの裏面が弾性ホルダー１５の背面から一段窪むようになっている。したがって、弾性ホルダー１５の背面が回路基板１０に当接した状態においては、ＬＥＤカバー１４の台座部１４ｂと回路基板１０が非接触状態に維持される。
【００１９】
また、弾性ホルダー１５の略中央には長孔状の係合孔１９が形成され、フロントケース２の背面の開口部１２に近接した位置には、弾性ホルダー１５の係合孔１９が嵌合される舌片状の係止突起２０が形成されている。
【００２０】
２つのＬＥＤカバー１４は、図７，図８に示すように予め弾性ホルダー１５に組み付けて組立体を形成し、その状態でＬＥＤカバー１４の先端部１４ａを開口部１２に嵌合し、かつ、弾性ホルダー１５の係合孔１９にフロントケース２の係合突起２０を嵌合することによって、図４，図９，図１０に示すようにフロントケース２に固定される。
【００２１】
一方、回路基板１０の開口部１２に対応する位置には、図９に示すようにランド部２１が形成され、そのランド部２１にＬＥＤ１３がはんだ結合されている。前述のようにフロントケース２に固定された各ＬＥＤカバー１４は、フロントケース２を回路基板１０に結合したときにＬＥＤ１３の前方を覆うこととなるが、このとき、弾性ホルダー１５の窪み部１７の周縁部が各ＬＥＤ１３の周域に密接するようになる。ここで、弾性ホルダー１５は黒色のゴム材によって形成されているため、このときＬＥＤ１３の周域からの光の漏れはこの弾性ホルダー１５によって阻止される。
【００２２】
また、図９に示すように回路基板１０のＬＥＤ１３の配置される側の面にはグランド用の導体配線２２が設けられている。この導体配線２２は、少なくとも各ＬＥＤカバー１４の台座部１４ｂの直下位置を横切るように設けられている。この状態において、ＬＥＤカバー１４の外周開口側周縁から導体配線２２までの最短距離ｄ１はＬＥＤカバー１４の外周開口側周縁からＬＥＤ１３までの最短距離ｄ２よりも短くなるように設定されている。
また、回路基板１０上のＬＥＤ１３用のランド部２１と導体配線２２の間にはレジスト膜２３が設けられ、ＬＥＤ１３をランド部２１にはんだ結合する際に、はんだクリームが導体配線２２に流れ出すのをそのレジスト膜２３によって阻止し得るようになっている。
【００２３】
この携帯電話機は以上のような構成であるため、着信等によってＬＥＤ１３が点灯すると、そのＬＥＤ１３の発した光がＬＥＤカバー１４の照射窓を通して前方に照射される。このときＬＥＤカバー１４の内周は球面状に湾曲して形成されているため、ＬＥＤカバー１４の内面に当たった光は多用な方向に拡散し、ムラのない均一な光が前方に照射される。また、この携帯電話機においては、ＬＥＤカバー１４の台座部１４ｂの周囲が、黒色ゴムから成る弾性ホルダー１５によって囲繞され、ＬＥＤ１３の周囲からの光の漏れが確実に防止されているため、照射窓からのみ光を照射することができる。
【００２４】
また、ユーザーが帯電した手で筐体１に触れ、静電気が筐体２とＬＥＤカバー１４の隙間に流れ込むと、静電気はＬＥＤカバー１４の外周面を流れ、台座部１４ｂから回路基板１０上のグランド用の導体配線２２上に流れる。つまり、ＬＥＤカバー１４の台座部１４ｂからグランド用の導体配線２２までの最短距離ｄ１をＬＥＤ１３までの最短距離ｄ２よりも短く設定してあるため、ＬＥＤカバー１４の台座部１４ｂに達した静電気はＬＥＤ１３側には流れず、グランド用の導体配線２２側に確実に逃がすことができる。
【００２５】
また、この携帯電話機の場合、ＬＥＤカバー１４が、回路基板１０との間に隙間ができるように弾性ホルダー１５に保持されているため、仮に，筐体１の外部からＬＥＤカバー１４に回路基板１０方向の押圧力が作用しても、このとき回路基板１０に作用する応力を弾性ホルダー１５による緩衝機能によって大きく緩和することができる。したがって、回路基板１０に局部的な応力が作用することによる実装部品の剥離を未然に防止することができる。
【００２６】
以上、この発明の一実施形態について説明したが、筐体２の開口部１２に対峙する回路基板１０上に実装されるこの発明における電子部品は、発光ダイオード（ＬＥＤ）だけに限らず、光センサ等の静電気を嫌う他の電子部品にも適用できる。
また、この発明は上記実施形態に限定されるものではなく、その要旨を逸脱しない範囲で種々の設計変更が可能である。
【図面の簡単な説明】
【００２７】
【図１】この発明の一実施形態を示す携帯電話機を正面側から見た斜視図。
【図２】同実施形態の携帯電話機を裏面側から見た斜視図。
【図３】同実施形態の携帯電話機の正面図。
【図４】同実施形態の携帯電話機を示す図３のＡ−Ａ断面に対応する断面図。
【図５】同実施形態の携帯電話機の分解斜視図。
【図６】同実施形態の携帯電話機に備えるＬＥＤカバーを示す斜視図。
【図７】同実施形態の携帯電話機に備えるＬＥＤカバーと弾性ホルダーとを組み付けた状態を示す正面側から見た斜視図。
【図８】同実施形態の携帯電話機に備えるＬＥＤカバーと弾性ホルダーとを組み付けた状態を示す裏面側から見た斜視図。
【図９】同実施形態の発光インジケータ部を示す図４のＢ部の拡大断面図。
【図１０】同実施形態の発光インジケータ部を示すものであり、図３のＡ−Ａ断面線から若干ずれた位置で切った図９と同様の拡大断面図。
【符号の説明】
【００２８】
１  筐体
１０  回路基板
１２  開口部
１３  ＬＥＤ（電子部品）
１４  ＬＥＤカバー（閉塞部材）
１５  弾性ホルダー
２１  ランド部
２２  導体配線
２３  レジスト膜
【図１】
2006114790.tif 000003
【図２】
2006114790.tif 000004
【図３】
2006114790.tif 000005
【図４】
2006114790.tif 000006
【図５】
2006114790.tif 000007
【図６】
2006114790.tif 000008
【図７】
2006114790.tif 000009
【図８】
2006114790.tif 000010
【図９】
2006114790.tif 000011
【図１０】
2006114790.tif 000012